(57)【要約】【課題】貯湯式給湯機の据付現場の設置スペースの状況に合わせて、据付現場において段階的な高さ調整を簡便な構成を用いて行えるようにした機体脚を備える貯湯式給湯機を提供する。【解決手段】貯湯タンクユニット１０を支持する機体脚２０として、正六角形の断面形状を有する脚上部１、脚中央部２、および脚下部３、並びに、脚下部３に係合する脚底部４を備える。脚上部１の六角形の隣り合わない一方の３つの頂点部分に上部突起１ｃを設け、残りの３つの頂点部分に下部突起１ｄを設ける。脚中央部２隣り合わない一方の３つの頂点部分に、上面側が開口したスリット状の上部溝部２ｂを設ける。下部突起１ｄが上部溝部２ｂに入り込む係合状態と、下部突起１ｄが脚中央部２の最上部で止まる係合状態の何れかを選択することにより、機体脚２０の高さを調整する。同様に、脚中央部２の下部突起２ｃと脚下部３の上部溝部３ｂとを利用して機体脚２０の高さを調整する。【選択図】図７
2011080677.tif 000002
【特許請求の範囲】
【請求項１】
貯湯タンクを内蔵する貯湯タンクユニットと、当該貯湯タンクユニットを支持する機体脚とを備えた貯湯式給湯機であって、
前記機体脚は、それぞれ筒状に形成され鉛直方向に連結される少なくとも２つの脚部を備え、
前記少なくとも２つの脚部における隣接し合うそれぞれの脚部の間の係合部の少なくとも１つとして、隣接し合う脚部間の係合位置を変化させた場合に、当該隣接し合う脚部を高さの異なる位置で係合させる係合部を備えたことを特徴とする貯湯式給湯機。
【請求項２】
前記少なくとも２つの脚部の水平方向の断面形状が、正六角形であり、
前記係合部は、隣接し合う脚部の一方に設けられた突起部と、隣接し合う脚部の他方に設けられ前記突起部と係合するスリット状の溝部と、を含むことを特徴とする請求項１に記載の貯湯式給湯機。
【請求項３】
前記突起部および前記溝部は、前記少なくとも２つの脚部における正六角形の頂点部分に設けられていることを特徴とする請求項２に記載の貯湯式給湯機。
【請求項４】
前記少なくとも２つの脚部における隣接し合う脚部間のがたつきを防ぐ係止部を更に備えたことを特徴とする請求項１〜３のいずれかに記載の貯湯式給湯機。
【請求項５】
前記少なくとも２つの脚部の水平方向の断面形状が、円または多角形であることを特徴とする請求項１または４に記載の貯湯式給湯機。
【請求項６】
前記機体脚は、前記少なくとも２つの脚部のうちの最下方に位置する最下方脚部の下方に配置され、当該機体脚を前記貯湯式給湯機の設置面に固定するためのアンカー部材の固定部が設けられた脚底部を更に備え、
前記少なくとも２つの脚部の水平方向の断面形状が、平行する対辺であって対辺間の距離が等しい複数組の対辺を有する多角形であって、
前記脚底部は、前記設置面に接する基部と、当該基部から鉛直方向に延出し前記最下方脚部の前記複数組の対辺の何れかと係合した状態で当該最下方脚部を案内するガイド部と、を含むことを特徴とする請求項１〜４の何れかに記載の貯湯式給湯機。
【請求項７】
前記最下方脚部の前記複数組の対辺のそれぞれは、外側に向かって垂直方向に延出したツバ部を含み、
前記ガイド部は、前記ツバ部に係合する溝部を含むことを特徴とする請求項６に記載の貯湯式給湯機。
【請求項８】
前記脚底部の厚さが、前記少なくとも２つの脚部の厚さと同等もしくは大きいことを特徴とする請求項６または７に記載の貯湯式給湯機。
【請求項９】
前記最下方脚部と前記脚底部との間のがたつきを防ぐ係止部を更に備えたことを特徴とする請求項６〜８のいずれかに記載の貯湯式給湯機。
【発明の詳細な説明】
【技術分野】
【０００１】
この発明は、貯湯式給湯機に係り、特に、貯湯式給湯機の機体脚に関する。
【背景技術】
【０００２】
従来、例えば特許文献１には、シャフトと、当該シャフトの先端部を止着するシャフト止着孔が形成されたヘッド本体とからなるゴルフクラブが開示されている。この従来のゴルフクラブは、ゴルフクラブの長さを調整可能とするための構成として、シャフトの先端部外周に固着されたカラー部材の外周に突設された係止突起を備えるとともに、シャフト止着孔の内周に、係止突起が挿入可能で当該係止突起をシャフト軸線方向に受ける階段状の受け部を有する凹部を備えている。
【先行技術文献】
【特許文献】
【０００３】
【特許文献１】特開２００８−２９６９１号公報
【発明の概要】
【発明が解決しようとする課題】
【０００４】
ところで、従来の貯湯式給湯機が備える機体脚は、高さ寸法が固定寸法であったため、それに伴い、製品高さも固定寸法となっていた。主にマンション等の物件で貯湯式給湯機がパイプスペース等に設置される場合には、建築施工の間取りによってはパイプスペースの一部に梁が突出していたりするので、製品設置スペースの高さ寸法に制限が課せられることがある。そこで、従来においては、受注生産対応の特殊仕様品として機体脚高さのみを変更した製品を新たに設定し、標準品とは別に対応するという対策がなされていた。しかしながら、そのような対策では、受注から納品までの納期が通常よりも必要となる。また、機体脚も特殊品生産となるため、コスト的にも割高となってしまうという問題もあった。
【０００５】
この発明は、上述のような課題を解決するためになされたもので、貯湯式給湯機の据付現場の設置スペースの状況に合わせて、据付現場において段階的な高さ調整を簡便な構成を用いて行えるようにした機体脚を備える貯湯式給湯機を提供することを目的とする。
【課題を解決するための手段】
【０００６】
この発明に係る貯湯式給湯機は、貯湯タンクを内蔵する貯湯タンクユニットと、当該貯湯タンクユニットを支持する機体脚とを備えた貯湯式給湯機であって、前記機体脚は、それぞれ筒状に形成され鉛直方向に連結される少なくとも２つの脚部を備え、前記少なくとも２つの脚部における隣接し合うそれぞれの脚部の間の係合部の少なくとも１つとして、隣接し合う脚部間の係合位置を変化させた場合に、当該隣接し合う脚部を高さの異なる位置で係合させる係合部を備えたものである。
【発明の効果】
【０００７】
この発明によれば、隣接し合う脚部間の係合位置を変化させることによって、機体脚の高さを段階的に調整することが可能となる。このため、貯湯式給湯機の据付現場の設置スペースの状況に合わせて、据付現場において段階的な高さ調整を簡便な構成を用いて行える機体脚を備える貯湯式給湯機を提供することができる。
【図面の簡単な説明】
【０００８】
【図１】本発明の実施の形態１における貯湯式給湯機の全体構成図である。
【図２】図１に示す機体脚の全体を表した斜視図である。
【図３】図２に示す機体脚の脚上部の詳細図（Ａ）、（Ｂ）である。
【図４】図２に示す機体脚の脚中央部の詳細図（Ａ）、（Ｂ）である。
【図５】図２に示す機体脚の脚下部の詳細図（Ａ）、（Ｂ）である。
【図６】図２に示す機体脚の脚底部の詳細図である。
【図７】本発明の実施の形態１における機体脚の高さ調整方法を説明するための図である。
【図８】本発明の実施の形態１における機体脚の高さ調整方法を説明するための図（Ａ）、（Ｂ）、（Ｃ）である。
【図９】脚下部に対する脚底部の取り付け方向の調整方法を説明するための図（Ａ）、（Ｂ）である。
【図１０】脚下部に対する脚底部の取り付け位置の調整方法を説明するための図である。
【図１１】貯湯タンクユニットの３箇所に設けられた機体脚毎に、脚下部に対する脚底部の取り付け向きを個別に変化させた設置例を表した図である。
【発明を実施するための形態】
【０００９】
この発明を実施するための形態について添付の図面に従って説明する。尚、各図において、同一又は相当する部分には同一の符号を付してその説明を適宜に簡略化ないし省略する。
【００１０】
実施の形態１．
図１は、本発明の実施の形態１における貯湯式給湯機１００の全体構成図である。図１に示すように、貯湯式給湯機１００は、貯湯タンクを内蔵する貯湯タンクユニット１０と、貯湯タンクユニット１０を支持する機体脚２０とを備えている。より具体的には、貯湯タンクユニット１０は、３箇所に取り付けられた機体脚２０によって支持され、所定の据付場所に設置されるようになっている。
【００１１】
図２は、図１に示す機体脚２０の全体を表した斜視図である。図２に示すように、機体脚２０は、脚上部１、脚中央部２、脚下部３、および脚底部４の４つの部品により構成されている。より具体的には、脚上部１は、脚中央部２を介して脚下部３に連結されている。脚下部３の下方には、アンカーボルト（図示省略）を用いて貯湯式給湯機１００の設置面に固定される脚底部４が設置されている。尚、図２は、機体脚２０の高さが最も高くなるように機体脚２０が組み立てられた状態を示している。
【００１２】
次に、図３乃至図６を参照して、機体脚２０の上記４つの構成部品の構成について詳述する。図３は、図２に示す機体脚２０の脚上部１の詳細図である。より具体的には、図３（Ａ）は、脚上部１をその上面部１ａ側から見た斜視図であり、図３（Ｂ）は、脚上部１をその下部開口部１ｆ側から見た斜視図である。図３に示すように、脚上部１は、設置面に水平方向の断面を正六角形とする筒型形状で形成されている。脚上部１の上面部１ａは、閉塞形状となっている。この上面部１ａには、貯湯式給湯機１００の本体（貯湯タンクユニット１０）に、脚上部１を固定するための取付穴１ｂが数箇所（３箇所）に設けられている。
【００１３】
また、脚上部１の外側の側面の上部には、六角形の６つの頂点のうちの１つおきの３つの頂点の部分に（すなわち、隣り合わない一方の３つの頂点部分（コーナー部分））に、上部突起１ｃがそれぞれ設けられている。また、脚上部１の外側面の下部には、上部突起１ｃが設けられていない残りの３つの頂点部分に、下部突起１ｄがそれぞれ設けられている。このように、上部突起１ｃと下部突起１ｄとは、鉛直方向の高さの異なる部位に設けられている。尚、３つの上部突起１ｃの高さ、および３つの下部突起１ｄの高さは、それぞれ等しくなるように設定されている。
【００１４】
また、脚上部１の外側の各側面の下部には、脱落防止突起１ｅがそれぞれ設けられている。また、脚上部１の底部は、下部開口部１ｆによって開放形状となっている。これは、脚上部１を貯湯タンクユニット１０に取り付ける際に、脚底部４に設けられた後述の工具差込用穴４ｅより差し込んだ工具を貫通させるためである。
【００１５】
図４は、図２に示す機体脚２０の脚中央部２の詳細図である。より具体的には、図４（Ａ）は、脚中央部２をその上部開口部２ａ側から見た斜視図であり、図４（Ｂ）は、脚中央部２をその下部開口部２ｆ側から見た斜視図である。図４に示すように、脚中央部２は、設置面に水平方向の断面を正六角形とする筒型形状で形成されている。脚中央部２の上面には、脚上部１を挿入するための上部開口部２ａが設けられている。また、脚上部１の挿入を受ける脚中央部２は、脚上部１よりも一回り大きな寸法値の六角形状となっている。
【００１６】
また、脚中央部２には、隣り合わない一方の３つの頂点部分に、上面側が開口したスリット状の上部溝部２ｂが設けられている。これらの３つの上部溝部２ｂは、脚上部１の上部突起１ｃや下部突起１ｄの挿入を受ける溝であり、同じ高さとなるように設定されている。また、脚中央部２の外側の側面の下部には、上部溝部２ｂが設けられていない残りの３つの頂点部分に、下部突起２ｃがそれぞれ設けられている。これらの３つの下部突起２ｃは、同じ高さとなるように設定されている。
【００１７】
また、脚中央部２の各側面には、脚上部１に設けられた上記脱落防止突起１ｅと係脱自在な脱落防止穴２ｄがそれぞれ設けられている。脱落防止穴２ｄは、後述する脚上部１と脚中央部２との係合位置の変化に対応できるようにするために、鉛直方向の高さが異なる２つの位置にそれぞれ設けられている。機体脚２０の組み立て時には、脚中央部２に挿入された脚上部１の脱落防止突起１ｅが脱落防止穴２ｄと係合することにより、簡便な構成によって脚上部１と脚中央部２とのがたつきを防ぎ、脚上部１が脚中央部２から抜け落ちないようにすることができる。
【００１８】
更に、脚中央部２の外側の各側面の下部には、脱落防止突起１ｅと同様の脱落防止突起２ｅが設けられている。また、脚中央部２の底部は、脚上部１の底部と同様の理由により、下部開口部２ｆによって開放形状となっている。
【００１９】
図５は、図２に示す機体脚２０の脚下部３の詳細図である。より具体的には、図５（Ａ）は、脚下部３をその上部開口部３ａ側から見た斜視図であり、図５（Ｂ）は、脚下部３をその下部開口部３ｅ側から見た斜視図である。図５に示すように、脚下部３は、設置面に水平方向の断面を正六角形とする筒型形状で形成されている。脚下部３の上面には、脚中央部２を挿入するための上部開口部３ａが設けられている。また、脚中央部２の挿入を受ける脚下部３は、脚中央部２よりも一回り大きな寸法値の六角形状となっている。
【００２０】
また、脚下部３には、隣り合わない一方の３つの頂点部分に、上部溝部２ｂと同様に上面側が開口したスリット状の上部溝部３ｂが設けられている。これらの３つの上部溝部３ｂは、脚中央部２の下部突起２ｃの挿入を受ける溝であり、同じ高さとなるように設定されている。
【００２１】
また、脚下部３の各側面には、脚中央部２に設けられた上記脱落防止突起２ｅと係脱自在な脱落防止穴３ｃがそれぞれ設けられている。脱落防止穴３ｃは、後述する脚中央部２と脚下部３との係合位置の変化に対応できるようにするために、鉛直方向の高さが異なる２つの位置にそれぞれ設けられている。機体脚２０の組み立て時には、脚下部３に挿入された脚中央部２の脱落防止突起２ｅが脱落防止穴３ｃと係合することにより、簡便な構成によって脚中央部２と脚下部３とのがたつきを防ぎ、脚中央部２が脚下部３から抜け落ちないようにすることができる。
【００２２】
更に、脚下部３の底部には、６つの各辺から外側に向かって垂直方向に延出するように形成された下部ツバ部３ｄがそれぞれの辺に設けられている。これらの下部ツバ部３ｄは、後述の脚底部４の差込溝部４ｃと係合する部位である（図８（Ａ）のｃ部参照）。更に、脚下部３の底部は、脚上部１および脚中央部２の底部と同様の理由により、下部開口部３ｅによって開放形状となっている。
【００２３】
図６は、図２に示す機体脚２０の脚底部４の詳細図である。図６に示すように、脚底部４は、左右の側面が立ち上がって全体として略コの字形状で形成された板状の部材である。より具体的には、脚底部４は、設置面に平行に配置される基部４ａと、当該基部４ａから鉛直方向に延出したガイド部４ｂとを備えている。
【００２４】
ガイド部４ｂには、脚底部４の下部ツバ部３ｄの挿入を受ける溝として、スリット状の差込溝部４ｃが形成されている。差込溝部４ｃは、ガイド部４ｂの中央にまで及ぶように形成されている。ガイド部４ｂの内側寸法は、脚底部４の対辺の外側寸法と同等に設定されており、ガイド部４ｂは、差込溝部４ｃに下部ツバ部３ｄが差し込まれた状態で、脚下部３を案内する部材として機能するようになっている。
【００２５】
また、脚底部４の基部４ａの上面には、突起状のストッパー４ｄが設けられている。ストッパー４ｄは、脚下部３の下部ツバ部３ｄから脚底部４が簡単に抜け落ちることを防止するために設けられている。更に、脚底部４の中央には、機体脚２０を貯湯タンクユニット１０に固定する際に必要となる工具差込用穴４ｅが設けられている。脚底部４におけるストッパー４ｄと反対側の端部には、貯湯式給湯機１００を据え付ける際に必要となるアンカーボルト固定穴４ｆが設けられている。すなわち、脚底部４は、アンカーボルト固定穴４ｆを用いてアンカーボルト（図示省略）を介して設置面に固定されるようになっている。
【００２６】
上述した機体脚２０において、脚底部４の厚さ寸法を、他の構成部品である脚上部１、脚中央部２、および脚下部３の厚さ寸法と同等もしくは大きく設定してもよい。このような厚さの設定によれば、正六角形の箱型形状である脚上部１等に対し、剛性を確保しにくい板状の脚底部４の剛性を高く確保できるようになる。
【００２７】
次に、図７および図８は、本発明の実施の形態１における機体脚２０の高さ調整方法を説明するための図である。より具体的には、図８（Ａ）は、機体脚２０の高さＬがＬｍａｘとＬｍｉｎの中間高さとなるように各脚部１〜３の係合位置が選択された例を示す図であり、図８（Ｂ）は、機体脚２０の高さＬが最大高さＬｍａｘとなるように各脚部１〜３の係合位置が選択された例を示す図であり、図８（Ｃ）は、機体脚２０の高さＬが最小高さＬｍｉｎとなるように各脚部１〜３の係合位置が選択された例を示す図である。
【００２８】
図７に示すように、機体脚２０では、脚上部１に対して下方から脚中央部２が組み合わされ、脚中央部２に対して下方から脚下部３が組み合わされる。そして、下部ツバ部３ｄに対して任意の方向から脚底部４の差込溝部４ｃが組み合わされる。これにより、本実施形態の機体脚２０が完成する。
【００２９】
本実施形態の機体脚２０によれば、隣接し合う脚部（脚上部１と脚中央部２、もしくは脚中央部２と脚下部３）間の係合位置を変化させることによって、図８（Ａ）〜（Ｃ）に示すように、機体脚２０の高さＬを段階的に調整することが可能となる。以下、その調整方法を詳述する。
【００３０】
ここで、図７に示す脚上部１は、貯湯タンクユニット１０の底面に固定されており、その位置は固定とする。次に、脚中央部２を既設の脚上部１に組み合わせる際に、機体脚２０の据え付け面に対し、脚中央部２の角度を水平方向に６０°回転させることにより、２通りの係合箇所が選択可能となる。その１つは、脚上部１に属する３箇所の下部突起１ｄが脚中央部２に属する３箇所の上部溝部２ｂに入り込む場合であり、もう１つは、脚上部１に属する３箇所の下部突起１ｄが脚中央部２の最上部で止まる場合である。前者（図８（Ｃ）に示す状態が対応）は、機体脚２０の高さを低く選択することにつながり、後者（図８（Ａ）または（Ｂ）に示す状態が対応）は、機体脚２０の高さを高く選択することにつながる。
【００３１】
同様に、脚下部３を既存の脚中央部２に組み合わせる際に、機体脚２０の据え付け面に対し、脚下部３の角度を水平方向に６０°回転させることにより、２通りの係合箇所が選択可能である。その１つは、脚中央部２に属する３箇所の下部突起２ｃが脚下部３に属する３箇所の上部溝部３ｂに入り込む場合であり、もう１つは、脚中央部２に属する３箇所の下部突起２ｃが脚下部３の最上部で止まる場合である。前者（図８（Ａ）または（Ｃ）の状態が対応）は、機体脚２０の高さを低く選択することにつながり、後者（図８（Ｂ）の状態が対応）は、機体脚２０の高さを高く選択することにつながる。
【００３２】
以上のように、本実施形態の機体脚２０によれば、脚上部１と脚中央部２の係合部であるａ部（図８（Ａ）参照）、および脚中央部２と脚下部３の係合部であるｂ部（図８（Ａ）参照）を、任意に６０°回転させて組み合わせることによって、機体脚２０の組み立て状態の高さを数段階に変更することができる。
【００３３】
また、本実施形態の機体脚２０の構成によれば、貯湯タンクユニット１０の３箇所に設けられた機体脚２０のそれぞれを別々の高さに設定することも可能となる。これにより、設置場所に高低差がある場合などにおいて、機体の水平度が保たれる範囲内で設置の利便性を高めることができる。
【００３４】
また、本実施形態の機体脚２０によれば、前述のように脚上部１、脚中央部２、および脚下部３の各脚部の組み付け角度位置を決定して機体脚２０を組み立てた後は、脚上部１に設けられた脱落防止突起１ｅが脚中央部２に設けられた脱落防止穴２ｄに係合するとともに、脚中央部２に設けられた脱落防止突起２ｅが脚下部３に設けられた脱落防止穴３ｃに係合するようになる。このため、機体脚２０のそれぞれの構成部品が容易に脱落することはない。また、脚底部４においても、脚下部３との連結後には、下部ツバ部３ｄと差込溝部４ｃとの係合によって、脚下部３と脚底部４とのがたつきを防ぎ、脚下部３が脚底部４から抜け落ちないようにすることができる。更に、脚底部４の上面に設けられたストッパー４ｄが脚下部３の下部ツバ部３ｄからの脚底部４の脱落を防止している。
【００３５】
次に、図９乃至図１１を参照して、機体脚２０の脚下部３に対する脚底部４の取り付け方向および取り付け位置の調整方法について説明する。先ず、図９は、脚下部３に対する脚底部４の取り付け方向の調整方法を説明するための図である。より具体的には、図９（Ａ）は、機体脚２０を上方から見下ろした平面図である。図９（Ａ）に示すように、水平方向の断面が正六角形であることで、平行する対辺であって対辺間の距離が等しい３組の対辺を備える脚下部３に対し、脚底部４の取り付け方向（差し込み方向）は、６０°刻みで６通り存在する。図９（Ｂ）は、脚下部３の位置を固定として、そのような脚下部３に対する脚底部４の取り付け方向を６通りに変化させた状態を示す図である。本実施形態の機体脚２０によれば、脚下部３に対する脚底部４の取り付け方向を、この６通りの中から貯湯式給湯機１００の据付場所の状況に応じて適当に選択することにより、アンカーボルトの固定箇所の自由度を良好に高めることができる。
【００３６】
次に、図１０は、脚下部３に対する脚底部４の取り付け位置の調整方法を説明するための図である。本実施形態の機体脚２０によれば、図１０に示すように、脚底部４の差込溝部４ｃに対する脚下部３の下部ツバ部３ｄの差し込み量を調節することにより、脚下部３に対する脚底部４の取り付け位置を調整することが可能となる。このため、図９に示す脚下部３に対する脚底部４の取り付け方向の選択に加え、このような取り付け位置の調整を行うことにより、アンカーボルトの固定箇所の自由度をより高めることができる。
【００３７】
次に、図１１は、貯湯タンクユニット１０の３箇所に設けられた機体脚２０毎に、脚下部３に対する脚底部４の取り付け向きを個別に変化させた設置例を表した図である。このように、機体脚２０毎に、脚下部３に対する脚底部４の取り付け向きを個別に変化させたり、更には、脚下部３に対する脚底部４の取り付け位置（差し込み量）を個別に調節することによって、アンカーボルトの固定位置のバリエーションを更に広げることができる。
【００３８】
ところで、上述した実施の形態１においては、貯湯タンクユニット１０に固定される脚上部１と、脚底部４に組み合わされる脚下部３との間に、１つの脚中央部２を備える構成を例に挙げて説明を行った。しかしながら、本発明における脚部の構成は、少なくとも２つの脚部をそなえているものであればよく、上記の構成に限定されない。すなわち、脚中央部２を備えていない構成であってもよく、或いは、脚中央部２のような中間脚部を２つ以上備えた構成であってもよい。
【００３９】
また、上述した実施の形態１においては、脚上部１、脚中央部２、および脚下部３のす水平方向の断面形状が正六角形であるものを例に挙げて説明を行った。しかしながら、本発明における脚部の水平方向の断面形状は、これに限らず、円または正六角形以外の多角形であってもよい。更に、上述した脚下部３と脚底部４のように、取り付け向きや取り付け位置の調整を行ううえでは、本発明における脚部の水平方向の断面形状は、平行する対辺であって対辺間の距離が等しい複数組の対辺を有する多角形であれば、正六角形に限られない。
【００４０】
また、上述した実施の形態１においては、上部突起１ｃなどの突起部と、当該突起部に係合する上部溝部２ｂなどのスリット状の溝部とが、脚上部１等の脚部における六角形の頂点部分（コーナー部分）に設けられた例について説明を行った。しかしながら、本発明における突起部やスリット状の溝部は、必ずしも上記頂点部分に設けられたものではなくてもよく、六角形の側面に設けられていてもよい。
【００４１】
また、上述した実施の形態１においては、脚上部１よりも脚中央部２の方が一回り大きな寸法値の六角形状とされ、脚中央部２よりも脚下部３の方が一回り大きな寸法値の六角形状とされている。しかしながら、本発明においては、このような構成とは逆に、機体脚の上方から下方に向かうに従って、筒状の脚部の寸法値が一回り小さくなるようになっていてもよい。
【００４２】
また、上述した実施の形態１においては、脱落防止突起１ｅ等と脱落防止穴２ｄ等とが係合した状態を利用して、機体脚２０の各構成部品の脱落を防止（がたつきを防止）するようにしている。このような機体脚２０の各構成部品の脱落防止は、上記の手法に限定されず、例えば、ねじ等の締結部材を用いて重なり合う脚部を係止するものであってもよい。
【００４３】
尚、上述した実施の形態１においては、脚上部１、脚中央部２、および脚下部３が前記第１の発明における「少なくとも２つの脚部」に、脚上部１と脚中央部との係合部であるａ部および脚中央部２と脚下部３との係合部であるｂ部が前記第１の発明における「係合部」に、それぞれ相当している。また、上部突起１ｃ、下部突起１ｄ、および下部突起２ｃが前記第２の発明における「突起部」に、上部溝部２ｂおよび上部溝部３ｂが前記第２の発明における「スリット状の溝部」に、それぞれ相当している。また、脱落防止突起１ｅ、脱落防止穴２ｄ、脱落防止突起２ｅ、および脱落防止穴３ｃが前記第４の発明における「係止部」に相当している。また、脚下部３が前記第６の発明における「最下方脚部」に相当している。また、下部ツバ部３ｄが前記第７の発明における「ツバ部」に、差込溝部４ｃが前記第７の発明における「溝部」に、それぞれ相当している。また、下部ツバ部３ｄと差込溝部４ｃとが前記第９の発明における「係止部」に相当している。
【符号の説明】
【００４４】
１  脚上部
１ｃ  上部突起
１ｄ  下部突起
１ｅ  脱落防止突起
２  脚中央部
２ｂ  上部溝部
２ｃ  下部突起
２ｄ  脱落防止穴
２ｅ  脱落防止突起
３  脚下部
３ｂ  上部溝部
３ｃ  脱落防止穴
３ｄ  下部ツバ部
４  脚底部
４ａ  基部
４ｂ  ガイド部
４ｃ  差込溝部
１０  貯湯タンクユニット
２０  機体脚
１００  貯湯式給湯機
【図１】
2011080677.tif 000003
【図２】
2011080677.tif 000004
【図３】
2011080677.tif 000005
【図４】
2011080677.tif 000006
【図５】
2011080677.tif 000007
【図６】
2011080677.tif 000008
【図７】
2011080677.tif 000009
【図８】
2011080677.tif 000010
【図９】
2011080677.tif 000011
【図１０】
2011080677.tif 000012
【図１１】
2011080677.tif 000013